(57)【要約】  プラスチック製のモノフィラメントが基材部と少なくとも１つのリブとを有し、前記基材部が少なくとも第１領域において第１プラスチック材料で構成されており、前記リブが前記モノフィラメントの長手方向に延び、このリブが第２プラスチック材料で構成され、前記基材部の前記第１領域において嵌め合い結合で保持されているモノフィラメント。【選択図】図１
2016524481.tif 000002
【特許請求の範囲】
【請求項１】
基材部（１１）と少なくとも１つのリブ（１２）とを有するプラスチック製のモノフィラメント（１０）であって、前記基材部が少なくとも第１領域（１３）において第１プラスチック材料で構成されており、前記リブが前記モノフィラメント（１０）の長手方向に延びており、第２プラスチック材料で構成され、前記基材部（１１）の前記第１領域（１３）において嵌め合い結合で保持されているモノフィラメント。
【請求項２】
前記リブ（１２）が前記基材部（１１）の第１領域（１３）と付加的に溶着されていることを特徴とする請求項１に記載のモノフィラメント。
【請求項３】
前記リブ（１２）が半径方向外側に向けて先が尖った断面を有していることを特徴とする請求項１または２に記載のモノフィラメント。
【請求項４】
前記リブが三角形または液滴状の断面を有していることを特徴とする請求項３に記載のモノフィラメント。
【請求項５】
前記リブ（１２）の半径方向内側端部で拡幅された足（１５）が形成されていることを特徴とする請求項１から４のいずれか１項に記載のモノフィラメント。
【請求項６】
前記モノフィラメント（１０）の円周に亘って多数のリブ（１２）が分散配置されていることを特徴とする請求項１から５のいずれか１項に記載のモノフィラメント。
【請求項７】
前記第１領域（１３）が前記基材部（１１）全体を形成していることを特徴とする請求項１から６のいずれか１項に記載のモノフィラメント。
【請求項８】
前記基材部（１１）の前記第１領域（１３）が円形断面を有し、少なくとも基材部（１１）の内側の第２領域（１４）を取り囲み、この第２領域が第３プラスチック材料で構成されていることを特徴とする請求項１から６のいずれか１項に記載のモノフィラメント。
【請求項９】
前記複数のリブ（１２）が前記基材部（１１）の第２領域（１４）を用いて互いに結合されていることを特徴とする請求項８に記載のモノフィラメント。
【請求項１０】
前記基材部（１１）の前記第１領域（１３）の前記第１プラスチック材料が剛質の熱可塑性ポリエステル、特に、ＰＢＴ（ポリブチレンテレフタレート）であることを特徴とする請求項１から９のいずれか１項に記載のモノフィラメント。
【請求項１１】
前記基材部（１１）の前記第１領域（１３）の前記第１プラスチック材料が軟質の熱可塑性プラスチック、特に、熱可塑性エラストマーであることを特徴とする請求項１から９のいずれか１項に記載のモノフィラメント。
【請求項１２】
前記リブ（１２）の前記第２プラスチック材料が軟質の熱可塑性プラスチック、特に、熱可塑性エラストマーであることを特徴とする請求項１から１１のいずれか１項に記載のモノフィラメント。
【請求項１３】
前記リブ（１２）の前記第２プラスチック材料が剛質の熱可塑性ポリエステル、特に、ＰＢＴ（ポリブチレンテレフタレート）であることを特徴とする請求項１から１１のいずれか１項に記載のモノフィラメント。
【請求項１４】
前記第２領域の前記第３プラスチック材料が前記リブ（１２）の前記第２プラスチック材料と同じであることを特徴とする請求項８から１３のいずれか１項に記載のモノフィラメント。
【請求項１５】
請求項１から１４のいずれか１項に記載のモノフィラメントで構成された歯ブラシの毛。
【発明の詳細な説明】
【技術分野】
【０００１】
本発明は、プラスチック製モノフィラメント及びこのモノフィラメントで作られた歯ブラシの毛に関する。
【背景技術】
【０００２】
ブラシの清掃効果は基本的に個々の毛の幾何学形状および毛の素材に依存する。特に、毛が掻き取り効果を有するべく、毛の外被表面をストラクチャー化する、あるいは、パターンを付けることが有利であることが判った。
【０００３】
特許文献１または２から、軸に平行な複数の外周突起部（以降、リブと記す）を有する毛が知られており、これらのリブの半径方向内側端部は基材部を形成するコアに一体形成されている。この場合、一方で、毛の強度特性と曲げ特性を、他方で、このリブによる清掃効果を所望の使用目的に適合させるために、コアとリブを異なるプラスチックで作ることができる。これらの毛を歯ブラシに使用する時には、さらに、利用者が損傷を受けることのないように材料選択をしなければならない。
【０００４】
この材料選択に際しては、リブと基材部の双方に対して、毛を使用する時にリブが基材部から剥がれるのを防ぐために、これに相応したモノフィラメントを製造する際に両方の材料が強く結合しなければならないという強い制約があることが判った。材料選択におけるこの制約は大変不利であるので、最適な清掃効果は稀にしか得られない。
【先行技術文献】
【特許文献】
【０００５】
【特許文献１】欧州特許第０８５０００４Ｂ１号明細書
【特許文献２】欧州特許第０８７４９２５Ｂ１号明細書
【発明の概要】
【発明が解決しようとする課題】
【０００６】
本発明の課題は、毛を製造するためのモノフィラメント、ないし、これで作られた歯ブラシの毛を提供することにあり、この際にリブと基材部の材料にとって、改善された選択可能性と組合せ可能性が与えられるようになされている。
【課題を解決するための手段】
【０００７】
この課題は本発明により、請求項１の特徴を有するモノフィラメントにより解決される。このモノフィラメントは、基材部とモノフィラメントの長手方向に延びる少なくとも１つのリブとを有しており、前記基材部は少なくとも第１領域において第１プラスチック材料で構成され、前記リブは第２プラスチック材料で構成され、基材部の第１領域において嵌め合い結合で保持されている。
【０００８】
リブと基材部の第１領域とが嵌め合い結合されているので、基材部の第１領域の第１プラスチック材料とリブの第２プラスチック材料との間に付加的に材料結合、および／または、摩擦結合が在るか否かとは無関係に、この基材部においてリブを確実に保持することができる。このリブを基材部の第１領域における嵌め合い結合のみで保持することが可能である一方で、前述の材料間で特に材料結合または摩擦結合を付加的に行うことも可能である。本発明の好適な形態では、これらの材料とモノフィラメントの押し出し時のパラメータの選択は、嵌め合い結合に加えてリブが基材部の第１領域と溶着されるように行われる。これに加えて、または、これに代えて、嵌め合い結合に加えてリブを基材部の第１領域と接着することもできる。
【０００９】
本発明の一形態では、リブが半径方向外側に向けて先の尖った断面、例えば、三角形または液滴状の断面を有しているので、このリブはその半径方向外側の断面領域で先が尖っている。
【００１０】
リブと、基材部の第１領域との嵌め合い結合を確実に行うために、このリブの半径方向内側の、基材部の第１領域に埋め込まれる端部が先太テーパを備えているとよい。好適には、リブの半径方向内側端部に拡幅された足が設けられており、これが基材部の第１領域の第１プラスチック材料で把持されている。
【００１１】
使用分野に応じて、モノフィラメントは唯一のリブを有してもよいし、複数のリブを有してもよい。この場合、複数のリブの配置がモノフィラメントの周囲に亘って均等に分布されていると好適である。
【００１２】
このリブまたはこれら複数のリブはモノフィラメントの長手方向の軸に平行に直線的に設けることができるが、これらのリブを基材部の周りに螺旋状に周回させることもできる。これは特に、押し出し後にこのモノフィラメントを公知の方法で捩じることにより得られる。この捩りが、１走行メートル当り５０〜４００回行われると好適である。
【００１３】
本発明の一形態では、前記第１領域が基材部全体を形成し、すなわち、この基材部は第１プラスチック材料のみで構成されており、この中に前記１つのリブまたは複数のリブが保持されるようにすることができる。
【００１４】
この代わりに、基材部の第１領域が円形断面を有し、基材部の内側に在る少なくとも１つの第２領域を取り囲み、この第２領域が第３プラスチック材料で構成されるようにすることができる。こうすることで、このモノフィラメント、ないし、これで作られた毛の使用特性を所望の使用目的に対してより良好に適合させることができる。
【００１５】
これらのリブを基材部内でより強固に保持するために、本発明の展開において、これらのリブを基材部の内側の第２領域を用いて相互に結合するとよい。
【００１６】
嵌め合い結合の故に、複数のプラスチック材料を自由に選ぶことができる。第１の可能な形態では、基材部の第１領域の第１プラスチック材料は剛質の熱可塑性ポリエステル、特に、ＰＢＴ（ポリブチレンテレフタレート）とすることができる。しかし、代案として、基材部の第１領域の第１プラスチック材料を軟質の熱可塑性プラスチック、特に、熱可塑性エラストマーとすることも可能である。
【００１７】
リブの第２プラスチック材料も、剛質の熱可塑性ポリエステル、特に、ＰＢＴ（ポリブチレンテレフタレート）、または、軟質の熱可塑性プラスチック、特に、熱可塑性エラストマーとすることができる。
【００１８】
基材部の内側の第２領域の第３プラスチック材料も、全く自由に選ぶことができる。複数のリブの半径方向内側端部が基材部の第２領域によって互いに結合されている場合には、基材部の第２領域の第３プラスチック材料をリブの第２プラスチック材料と同じにすると好適である。
【００１９】
本発明の好適な形態では、少なくとも１つのリブが少なくとも部分的に染色されており、その結果、モノフィラメントの残部と色で区別できるようになっている。こうして、前記モノフィラメントが捩じられていることを利用者が視認することが可能となるので、モノフィラメント使用時の見間違いを避けることができる。
【００２０】
本発明によるモノフィラメントから通常の方法で毛を作ることができ、これらの毛を歯ブラシの毛として使用すると好適である。
【００２１】
本発明の他の個別事項および特徴は実施例の下記記載から、図を参照して明示されている。
【図面の簡単な説明】
【００２２】
【図１】本発明によるモノフィラメントの第１実施形態の断面
【図２】図１の実施形態の変形
【図３】本発明によるモノフィラメントの第２実施形態の断面
【図４】図３の実施形態の変形
【発明を実施するための形態】
【００２３】
図１はプラスチック製モノフィラメント１０の断面を示す。これは第１領域１３で構成されている円形断面の基材部１１を有しており、この基材部は全体が第１プラスチック材料、例えば、剛質の熱可塑性ポリエステルで構成されている。このモノフィラメント１０は３つのリブ１２を有し、これらのリブは長手方向に、すなわち、紙面に垂直に延び、基材部１１から半径方向外側に突き出ている。各リブ１２は３角形の、半径方向外側に向かって先が尖っている断面を有し、その半径方向内側の幅広の端部で嵌め合い結合方式で基材部１１に保持されている。嵌め合い結合の故に、リブ１２の材料は自由に、すなわち、基材部１１の第１プラスチック材料の種類とは無関係に選択することができる。リブ１２の第２プラスチック材料は好適には軟質の熱可塑性プラスチックである。
【００２４】
リブ１２は、嵌め合い結合に加えて、接着または溶着によっても基材部１１に保持することができる。
【００２５】
図２は図１と同様な実施例を示す。図１と異なるのは、リブ１２の半径方向内側端部がそれぞれ拡幅された足１５を有していることだけであり、この足によって嵌め合い結合により得られる保持力が本質的に改善されている。
【００２６】
図３は本発明によるモノフィラメント１０の別の実施例を示す。基材部１１は第１プラスチック材料で構成された第１領域１３を有し、この第１領域は円形断面を有している。円形断面の第１領域１３の内側にこの基材部の第２領域１４が配置されており、この第２領域は第３プラスチック材料で構成されている。複数のリブ１２が基材部１１の円形の第１領域１３において嵌め合い結合で保持されており、それらの半径方向内側端部が基材部１１の内側の第２領域１４に当接している。この場合、好適には、これらのリブ１２は基材部１１の内側の第２領域１４と接着または溶着で結合されている。
【００２７】
図４は図３による実施例に対応する一形態を示す。これが図３と異なるのは単に、前記リブ１２および基材部の内側にある第２領域１４が同一の材料で構成されており、一体として形成されていることである。
【符号の説明】
【００２８】
１０    モノフィラメント
１１    基材部
１２    リブ（外周突起部）
１３    基材部の第１領域
１４    基材部の第２領域
１５    足
【図１】
2016524481.tif 000003
【図２】
2016524481.tif 000004
【図３】
2016524481.tif 000005
【図４】
2016524481.tif 000006
【国際調査報告】
2016524481.tif 000007
2016524481.tif 000008
2016524481.tif 000009
2016524481.tif 000010
2016524481.tif 000011
2016524481.tif 000012